(57)【特許請求の範囲】
【請求項１】
被写体を撮像して映像信号を生成する撮像手段と、
上記映像信号の１フイールド分を積分した結果得られる積分値を画素数で割ることにより上記映像信号の平均値を算出する平均値算出手段と、
所定の基準値が記憶されている記憶手段と、
複数の操作子と、
上記平均値と上記基準値とを比較し、上記平均値が上記基準値以下になつたときユーザに対して警告を行い、上記複数の操作子が同時に操作されたときに限つて、上記操作時の上記平均値を新たな基準値として上記記憶手段に記憶するよう指令する制御手段と
を具えることを特徴とする撮像装置。
【請求項２】
上記平均値算出手段は、上記積分する対象の上記映像信号として当該映像信号の緑色成分を用いる
ことを特徴とする請求項１に記載の撮像装置。
【請求項３】
上記記憶手段は、複数の上記基準値を記憶し、
上記制御手段は、上記操作時の上記平均値を複数段階保持し、上記保持した複数の平均値における差が一定間隔以上離れているときに限つて、上記保持した上記複数の平均値を新たな基準値として上記記憶手段に記憶するよう指令する
ことを特徴とする請求項１に記載の撮像装置。
【請求項４】
映像信号の１フイールド分を積分した結果得られる積分値を画素数で割ることにより上記映像信号の平均値を算出する平均値算出ステツプと、
複数の操作子が同時に操作されたときに限つて、上記平均値を新たな基準値として記憶手段に記憶する記憶ステツプと、
上記平均値算出ステツプにより算出した上記平均値と、上記記憶ステツプにより記憶した上記新たな基準値とを比較し、上記平均値が上記新たな基準値以下になつたときにユーザに対して所定の警告手段から警告を行う警告ステツプと
を具えることを特徴とする映像信号の警告方法。
【請求項５】
上記平均値算出ステツプでは、上記積分する対象の上記映像信号として当該映像信号の緑色成分を用いる
ことを特徴とする請求項４に記載の映像信号の警告方法。
【請求項６】
上記記憶ステツプでは、上記複数の操作子が同時に制御されたときの複数段階の平均値を保持し、上記保持した複数の平均値における差が一定間隔以上離れているときに限つて、上記保持した上記複数の平均値を新たな基準値として上記記憶手段に記憶する
ことを特徴とする請求項４に記載の映像信号の警告方法。
【発明の詳細な説明】
【０００１】
【目次】
以下の順序で本発明を説明する。
【０００２】
発明の属する技術分野
従来の技術
発明が解決しようとする課題（図８）
課題を解決するための手段
発明の実施の形態（図１〜図７）
発明の効果
【０００３】
【発明の属する技術分野】
本発明は撮像装置及び輝度レベル調整方法に関し、例えばカメラ一体型ビデオテープレコーダに適用して好適なものである。
【０００４】
【従来の技術】
従来、カメラ一体型ビデオテープレコーダ（以下、これをカムコーダと呼ぶ）においては近年回路の大部分がデイジタル化されて来ており、撮像した被写体像をデイジタル信号処理して磁気テープにデイジタル記録するようになされている。このカムコーダは工場出荷時点において多くの調整項目が最適な状態に調整されて出荷されるようになされており、通常使用する上で扱い易い状態に設定されている。すなわち、カムコーダは工場出荷時の調整値が機器の標準値（デフオルト）となつている。
【０００５】
このように工場出荷時に設定される調整項目は、プロ用のカムコーダにおいて画質、絞り、バツテリの残量表示の基準値及び撮像時の被写体の信号レベル（明るさ）の基準値（以下、これを「ＬＯＷ−ＬＩＧＨＴ」項目と呼ぶ）等、約１００種類程存在する。これら調整項目の内の１つである「ＬＯＷ−ＬＩＧＨＴ」項目は、撮像時にビユーフアインダ上に映し出している被写体の信号レベルがそのカムコーダにとつて明るいか暗いかを示すワーニング（警告）表示である。
【０００６】
ここで、ワーニング表示とは、ある被写体を撮像したときにカムコーダ内部で被写体の映像信号をビデオレベルに変換し、当該ビデオレベルがカムコーダにとつて適切かどうかを判定し、適切でないときにビユーフアインダ上の一部分に警告の表示を行うものである。すなわち、カムコーダにおいては被写体の信号レベルが十分に明るい場合にはきれいに撮像できるのでワーニング表示が出ることはないが、カメラ内部の検出系において被写体の信号レベルが低く検出された場合にはビユーフアインダ上の一部分に「ＬＯＷ−ＬＩＧＨＴ」という文字を点滅させてワーニング表示を出するようになされている。これにより、カメラマンはビユーフアインダ上のワーニング表示を確認して絞りを調節するようになされている。
【０００７】
【発明が解決しようとする課題】
ところで上述のカムコーダにおいては、「ＬＯＷ−ＬＩＧＨＴ」項目のワーニング表示を出す信号レベルの基準値が工場出荷時点で通常の使用状態に合わせて設定されている。例えば、図８に示すように「ＬＯＷ−ＬＩＧＨＴ」項目のワーニング表示と設定レベルとの関係においては、「項目の設定」が「ＯＦＦ」の場合に「ワーニング表示を行うビデオレベル」の内容が「表示ＯＦＦ」となり、被写体の信号レベルが低く検出されたときにでもビユーフアインダ上の一部分に「ＬＯＷ−ＬＩＧＨＴ」のワーニング表示が点滅することはない。
【０００８】
また、「項目の設定」が「１」の場合には「ワーニング表示を行うビデオレベル」の内容が「ビデオレベル：約１０〔％〕」となり、撮影した被写体の信号レベルが１０〔％〕に相当する基準値以下になつたときにビユーフアインダ上の一部分に「ＬＯＷ−ＬＩＧＨＴ」のワーニング表示が点滅する。同様に、「項目の設定」が「２」の場合には「ワーニング表示を行うビデオレベル」の内容が「ビデオレベル：約２０〔％〕」となり、撮影した被写体の信号レベルが２０〔％〕に相当する基準値以下になつたときに「ＬＯＷ−ＬＩＧＨＴ」のワーニング表示が点滅するようになされ、「項目の設定」が「３」の場合には被写体の信号レベルが３０〔％〕に相当する基準値以下になつたときに「ＬＯＷ−ＬＩＧＨＴ」のワーニング表示が点滅するようになされている。従つて、ユーザは撮像時の環境条件（被写体の明るさ等）に応じて「項目の設定」を「１」〜「３」の範囲で選択することにより、「ＬＯＷ−ＬＩＧＨＴ」のワーニング表示を出す基準値を１０〔％〕、２０〔％〕、３０〔％〕の中から選定し得るようになされている。
【０００９】
しかし、ユーザのカムコーダを使用する環境条件は必ずしも同一条件ではないので、標準値として設定された「ビデオレベル：約１０〔％〕、２０〔％〕、３０〔％〕」では使用条件を満足しない場合がある。実際上、ユーザの使用条件を満足させるために「項目の設定」が「１」の場合に「ビデオレベル：約１５〔％〕」、「項目の設定」が「２」の場合に「ビデオレベル：約２５〔％〕」、「項目の設定」が「３」の場合に「ビデオレベル：約３５〔％〕」の基準値に変更を余儀無くされた場合、機器の安全性を考慮してユーザレベルでは基準値を変更することができなかつた。つまり、メーカーがユーザ側の仕様に合わせた基準値の変更をサービス部門においてのみ行えるようにしていたため、その間ユーザはカムコーダを使用することはできず不便であるという問題があつた。
【００１０】
本発明は以上の点を考慮してなされたもので、撮像した被写体像を示す映像信号の輝度レベルに対して設定された基準値をユーザレベルで容易に変更して自動設定し得る撮像装置及び輝度レベル調整方法を提案しようとするものである。
【００１１】
【課題を解決するための手段】
かかる課題を解決するため本発明の撮像装置及び映像信号の警告方法においては、映像信号の１フイールド分を積分した結果得られる積分値を画素数で割ることにより映像信号の平均値を算出し、複数の操作子が同時に操作されたときに限つて当該平均値を新たな基準値として記憶手段に記憶し、算出した平均値と、記憶手段に記憶した新たな基準値とを比較し、当該平均値が新たな基準値以下になつたときにユーザに対して警告を行うようにした。
これにより本発明では、ユーザに警告を行うための基準値となる映像信号の平均値をユーザの好みに合わせて変更する際、複数の操作子が同時に操作されたときに限つてその平均値を新たな基準値として記憶手段に記憶することができるので、警告を行うための基準値が誤操作により変更されることを防止しながら、警告を行うための基準値をユーザレベルで容易に更新することができる。
【００１２】
【発明の実施の形態】
以下図面について、本発明の一実施例を詳述する。
【００１３】
図１において、１は全体として撮像装置としてのカムコーダを示し、大きく分けてカメラ部１ＡとＶＴＲ部１Ｂとから構成されている。カムコーダ１はカメラ部１Ａにおいて被写体からの入射光をレンズ２によつて集光した後、ダイクロイツクプリズム３によつてＲ（赤色原色成分）、Ｇ（緑色原色成分）、Ｂ（青色原色成分）の入射光に分解してＣＣＤ(Charge Coupled Device) 固体撮像素子４Ｒ、４Ｇ、４Ｂの撮像面に集光する。この場合、カムコーダ１は制御部５からの制御データに基づいてレンズ２を調整することによりフオーカス及び倍率を調整し得ると共に、レンズ２に備え付けられたアイリス６を介して絞りを調整することにより被写体からの光量を可変し得るようになされている。
【００１４】
ＣＣＤ固体撮像素子４Ｒ、４Ｇ、４Ｂは、それぞれ赤色用、緑色用、青色用の撮像素子によりＲ、Ｇ、Ｂの入射光を受光し、被写体像を表す映像信号としてプリアンプ７に出力する。プリアンプ７は映像信号を規定利得で所定レベルに増幅して出力し、図示しない相関二重サンプリング回路によつてノイズ成分を低減すると共にＲ、Ｇ、Ｂの色信号に変換してビデオアンプ８に出力する。
【００１５】
ビデオアンプ８はこれらＲ、Ｇ、Ｂの色信号を規定利得で所定レベルに増幅してアナログ／デイジタル変換回路９に出力する。ここで、ビデオアンプ８は制御部５からの制御データに基づいて利得を切り換えると共に信号レベルを補正することにより、ゲイン調整、ホワイトバランス調整、ブラツクバランス調整、ブラツクレベル調整、シエーデイング補正等の各種処理を実行するようになされている。
【００１６】
アナログ／デイジタル変換回路９は、次段のデイジタルビデオプロセス回路１０から出力されるシステムクロツクを基準として各色信号をデイジタルデータに変換処理し、デイジタル色信号を形成してデイジタルビデオプロセス回路１０に送出する。デイジタルビデオプロセス回路１０はこれらのデイジタル色信号を受け、先のビデオアンプ８で処理されずに残つている各種信号処理を実行することによりデイジタルのビデオ信号を生成してＶＴＲ部１Ｂのレート変換回路１２に送出する。
【００１７】
この場合、図２に示すようにデイジタルビデオプロセス回路１０においてはデイテクタ１０Ａを介してＲ、Ｇ、Ｂの各チヤンネルごとにデイジタル色信号をカメラシステム制御回路２２に送出すると共にビデオプロセス回路１０Ｂにも送出する。また、デイジタルビデオプロセス回路１０はビデオプロセス回路１０Ｂにおいて、Ｒ、Ｇ、Ｂのデイジタル色信号をマトリクス演算することによりデイジタル輝度信号、デイジタル色差信号を生成してデイジタルアナログ変換回路１１及びレート変換回路１２に出力する。
【００１８】
このとき、デイジタルビデオプロセス回路１０はビデオプロセス回路１０Ｂにおいてガンマ補正、ニー処理、ホワイトクリツプ等の処理を実行するようになされており、制御部５からの制御データに基づいて動作を切り換えることによりガンマ補正処理の特性、ニー処理の特性等を切り換えたり、また制御部５からの制御データに基づいてマトリクス演算の係数を切り換えることにより色再現性を可変調整し得るようになされている。
【００１９】
デイジタルアナログ変換回路１１は、デイジタル輝度信号、デイジタル色差信号をアナログ信号に変換処理して輝度信号及び色差信号を生成し、インターフエース回路１３に送出する。インターフエース回路１３はこれら輝度信号及び色差信号をビユーフアインダ１４に出力し、当該ビユーフアインダ１４を介して撮像結果を表示すると共に、撮像結果の輝度レベルを外部の波形モニタ２６に表示するようになされている。従つて、ユーザはビユーフアインダ１４に写し出された撮像結果を見ながら画枠を合わせられるようになされている。また、インターフエース回路１３はレート変換回路１２から出力されるデイジタル信号を規定フオーマツトのシリアルデイジタルビデオ信号として、あるいは規定フオーマツトのアナログビデオ信号として出力することにより、必要に応じて撮像結果を外部機器に表示する。
【００２０】
このため、レート変換回路１２はデイジタルビデオプロセス回路１０から出力されるデイジタル輝度信号及びデイジタル色差信号を規定フオーマツトに従つてインターフエース回路１３に送出し、また伝送レートを変換して続くデイジタルビデオプロセス回路１５に送出する。デイジタルビデオプロセス回路１５はＶＴＲシステム制御回路１６により制御されて動作し、レート変換回路１２から出力されるデイジタル輝度信号及びデイジタル色差信号をデータ圧縮した後、誤り訂正符号等を付加して規定のデータ構造に変換し、磁気テープの記録に適した符号化方式により符号化したデータ列をＶＴＲメカデツキ１７に出力する。
【００２１】
ＶＴＲメカデツキ１７はＶＴＲシステム制御回路１６により制御されるサーボ制御回路１８によつて動作し、回転ドラムを規定の回転速度で回転駆動すると共に、ビデオカセツトテープ１９から磁気テープを引き出して回転ドラムに巻き付けて保持する。また、ＶＴＲメカデツキ１７は回転ドラムに巻き付けた磁気テープを規定の走行速度で走行させることにより当該磁気テープに順次斜めに記録トラツクを形成し、デイジタルビデオプロセス回路１５から入力したデータ列を記録する。このようにして、カムコーダ１は撮像結果を磁気テープに順次記録するようになされている。
【００２２】
サーボ制御回路１８は磁気テープを走行させ、また回転ドラムを回転駆動する際に、ＶＴＲメカデツキ１７の駆動系に配置されたセンサ（図示せず）によつて磁気テープ走行速度、回転ドラム回転速度を検出し、当該磁気テープ走行速度及び回転ドラム回転速度が規定値を保持するようにＶＴＲメカデツキ１７を制御する。ＶＴＲシステム制御回路１６はＶＴＲ部１Ｂ全体の動作を制御するマイクロコンピユータにより形成され、タイムコード制御回路２０を介してＶＴＲ１Ｂに関する複数の操作スイツチ２１の操作に応じて、また制御部５のカメラシステム制御回路２２により制御されてデイジタルビデオプロセス回路１５及びサーボ制御回路１８の動作を切り換えるようになされている。
【００２３】
ここで、タイムコード制御回路２０は複数の操作スイツチ２１の操作状況（スイツチ情報）を検出してＶＴＲシステム制御回路１６に通知すると共に、必要に応じてタイムコードを生成して出力し、当該タイムコードを撮像結果と共に磁気テープに順次記録するようになされている。
【００２４】
これに対してカメラ部１Ａの制御部５はカメラシステム制御回路２２により撮像系全体の動作を制御すると共に、ＶＴＲ部１Ｂの制御系であるＶＴＲシステム制御回路１６を制御することにより、カムコーダ１全体の動作を制御するようになされている。すなわち、カメラシステム制御回路２２はマイクロコンピユータにより形成され、入出力(In/Out)回路２３を介して複数のスイツチ２４及びロータリスイツチ２５の操作状況を検出し、検出結果に応じて各種制御データを出力するようになされている。
【００２５】
ここで、図３に示すように、制御部５においてカメラシステム制御回路２２は中央処理ユニツト（以下、これをＣＰＵと呼ぶ）３０、リードオンリメモリ（以下、これをＲＯＭと呼ぶ）３１、ランダムアクセスメモリ（以下、これをＲＡＭと呼ぶ）３２、電源が切れても各種調整データを保持する不揮発性ＲＡＭ、ＥＥＰＲＯＭ(Electrically Erasable Programmable Read-Only Memory) ３３、各種スイツチ情報を読み込む入出力回路２３及び文字を作成するためのキヤラクタジエネレータ３４から構成されている。
【００２６】
カメラシステム制御回路２２においては、ＣＰＵ３０が各種処理を行うためにＲＡＭ３２に確保されたワークエリアを用いてＲＯＭ３１に格納された制御プログラムを規定の処理手順で実行するようになされている。これにより、ＣＰＵ３０はデイジタル／アナログ変換回路１１やデイジタルビデオプロセス回路１０に制御データを出力することにより、カムコーダ１のカメラ部１Ａの動作を制御し、また必要に応じてＶＴＲシステム制御回路１６との間でデータ通信を行つてＶＴＲ部１Ｂ全体の動作を制御する。
【００２７】
また、ＣＰＵ３０は入出力回路２３を介してキヤラクタジエネレータ３４に制御データを送出する。キヤラクタジエネレータ３４は制御データに応じて文字画像を形成し表示インターフエース回路３６に出力する。表示インターフエース回路３６はキヤラクタジエネレータ３４から送られて来た文字画像をビユーフアインダ１４に送出し、撮像結果であるビデオ信号と合成して表示する。これにより、ＣＰＵ３０はビユーフアインダ１４の表示画面上に種々の情報（例えば種々の設定項目の表示されたメニユ画面）を表示し得るようになされている。
【００２８】
さらに、ＣＰＵ３０はセツトアツプカード３７にビユーウアインダ１４上のメニユ画面で設定された各項目の状態を記憶させられるようになされている。このセツトアツプカード３７はカムコーダ１と容易に取り外しできるようになされており、他のカムコーダにセツトアツプカード３７をセツトすることにより、同じ撮像条件を別のカムコーダにおいて再現し得るようになされている。
【００２９】
また、カメラシステム制御回路２２は入出力回路２３を介してメニユーＯＮ／ＯＦＦスイツチ２４Ａ、ページスイツチ２４Ｂ、メニユＩＴＥＭスイツチ２４Ｃ及びオートホワイトバランス（ＡＷＢ）スイツチ２４Ｄ、並びにロータリスイツチ２５の操作によるスイツチ情報を読み取り、当該スイツチ情報に基づいてメニユ画面の内容を変更して更新するようになされている。従つて、カメラシステム制御回路２２はユーザによつてメニユＯＮ／ＯＦＦスイツチ２４Ａが「オン」されると、入出力回路２３がスイツチ情報を読み取り、ＣＰＵ３０がスイツチ情報に基づいた制御データを入出力回路２３を介してキヤラクタジエネレータ３４に送出する。これにより、キヤラクタジエネレータ３４は制御データに応じた文字画像を形成して表示インターフエース回路３６を介してビユーフアインダ１４に送出することによりメニユ画面を表示するようになされている。
【００３０】
図４に示すように、ビユーフアインダ１４の表示画面上に映し出されたメニユ画面４０は「ＯＰＥＲＡＴＩＯＮ  ＭＯＤＥ  １」とタイトルが表示され、同様のメニユ画面が「ＯＰＥＲＡＴＩＯＮ  ＭＯＤＥ  ２」、「ＯＰＥＲＡＴＩＯＮＭＯＤＥ  ３」と続いて複数ページ存在する。メニユ画面４０には「R-G/B-G SEL 」項目４０Ａ、「GAMMA TABLE 」項目４０Ｂ、「LOW LIGHT 」項目４０Ｃ、「BARS SELECT 」項目４０Ｄ、「WHITE B CH」項目４０Ｅ、「BATT WARNING」項目４０Ｆ、「WIDE AWB」項目４０Ｇ、「ZEBRA 」項目４０Ｈが設けられており、ユーザが選択した項目を所望のレベル（各項目ごとに「オン」、「オフ」あるいは「１」、「２」、「３」等の設定レベルが存在する）に設定し得るようになされている。
【００３１】
ここで、「R-G/B-G SEL 」項目４０Ａはビデオ信号調整時の確認用に出力したい信号を選択するための項目であり、設定レベルには「オン」及び「オフ」がある。「GAMMA TABLE 」項目４０Ｂはガンマ補正用の項目であり、ガンマ補正処理の特性を切換えられるように設定レベルとして「Ａ」及び「Ｂ」がある。「LOW LIGHT 」項目４０Ｃは本発明の一実施例として取り上げられた調整項目であり、設定レベルはビデオ信号の明るさの基準値に応じて「１」〜「３」まで存在する。「BARS SELECT 」項目４０Ｄはカラーバーを選択するための項目であり、設定レベルは「１」〜「３」まで存在する。すなわち、３種類のカラーバーを選択し得るようになされている。
【００３２】
「WHITE B CH」項目４０Ｅは自動追尾のホワイトバランス調整の設定項目である。「BATT WARNING」項目４０Ｆはバツテリの残量が所定レベル以下になつたときにワーニング表示する項目であり、設定レベルには「１０〔％〕」、「２０〔％〕」、「３０〔％〕」の３種類存在する。「WIDE AWB」項目４０Ｇはホワイトバランス調整によつて収束できる色温度の範囲を選択するための項目であり、設定レベルには「オン」及び「オフ」があつて「オン」のときに色温度の範囲が広くなるようになされている。最後に「ZEBRA 」項目４０Ｈはビユーフアインダ上にゼブラ模様を表示させるか否かを選択する項目であり、設定レベルには「オン」及び「オフ」が存在する。
【００３３】
この場合、メニユ画面４０は「LOW LIGHT 」項目４０Ｃが設定レベルとして「１」を表示しており、ビデオレベルの基準値が「１０〔％〕」以下になつたときにビユーフアインダ１４上にワーニング表示を点滅させるように設定されていることを表している。つまり、この「LOW LIGHT 」項目４０Ｃの設定レベルはユーザの好みによつて「１」〜「３」までの３段階に設定レベルを変更できるようになされている。本発明のカムコーダ１においては「LOW LIGHT 」項目４０Ｃの設定レベル「１」〜「３」におけるビデオ信号の輝度レベルの基準値をユーザ所望の基準値に容易に変更（自動設定）しようとするものである。
【００３４】
このメニユ画面４０における「ＯＰＥＲＡＴＩＯＮ  ＭＯＤＥ  １」の中に所望の項目が存在しない場合、ユーザはページスイツチ２４Ｂ（図３）を「オン」することにより次のページに切り換えられるようになされている。また、ページ内の項目４０Ａ〜４０Ｈのうちのいずれかを選択するためにはメニユＩＴＥＭスイツチ２４Ｃを「オン」することにより矢印→で示したカーソル４０Ｊを順次移動させるようになされている。ユーザは所望の項目（この場合「LOW LIGHT 」項目４０Ｃ）にカーソル４０Ｊを合わせて、ロータリスイツチ２５を回転させることにより、その選択した項目の設定レベル（この場合、「１」〜「３」）を変更し、所望の設定レベルのところでロータリスイツチ２５を押す。これにより、カムコーダ１は「LOW LIGHT 」項目４０Ｃにおける設定レベルを「１」〜「３」のいずれかに確定するようになされている。
【００３５】
次に、カムコーダ１において「LOW LIGHT 」項目４０Ｃの設定レベル「１」〜「３」におけるビデオレベルの基準値を１５〔％〕、２５〔％〕、３５〔％〕に自動設定する場合を考える。この場合の条件として、カムコーダ１はビデオ出力端子が一般の放送局等で通常使用されている波形モニタ２６（図１）に接続されると共に、撮影した被写体を映し出す映像の画枠を確認するためのモニタ（図示せず）に接続されていることとする。この実施例の場合、画枠を確認するためのモニタはビユーフアインダ１４に撮像結果を映し出すようにしているので、これを代用する。
【００３６】
まず、カムコーダ１においてはユーザによつてメニユＯＮ／ＯＦＦスイツチ２４Ａ（図３）が「オン」されると、カメラシステム制御回路２２はＣＰＵ３０によつてメニユ画面４０をビユーフアインダ１４上に表示する。続いて、カムコーダ１はユーザによるメニユＩＴＥＭスイツチ２４Ｃの操作によつて「LOW LIGHT 」項目４０Ｃを選択し、ロータリスイツチ２５を介して設定レベルを「１」に確定する。ここで、現在の「LOW LIGHT 」項目４０Ｃの設定レベル「１」はビテオ信号の輝度レベルの基準値が「１０〔％〕」以下になつたときにワーニング表示を出すように設定された状態である。
【００３７】
この状態において、ユーザは輝度レベルを確認し易いように１０段階に色の濃度が変化した色票でなるグレースケール等のチヤートをカムコーダ１で所定の画枠に沿つて撮影し、波形モニタに映し出された１０段階の階段状のビデオ信号の輝度レベルを確認しながら、最も明るいピーク部分の輝度レベルを所望の基準値「１５〔％〕」になるようにアイリス６を介して絞りを調整する。
【００３８】
カムコーダ１は、このようにして絞りの調整が終了するとユーザによつてＡＷＢスイツチ２４Ｄが押された状態でロータリスイツチ２５が押されたときに、ＣＰＵ３０がデイジタルビデオプロセス回路１０から送られて来たＲ、Ｇ、Ｂの各色データを読み取り、そのうちのＧチヤンネルの色データを用いて、１フイールド分のデータを積分し、積分結果を画素数で割ることにより算出した平均値をビデオレベルの「１５〔％〕」に相当する基準値として本体内部のＲＡＭ３２に一旦保持する。カムコーダ１は同様の手順でビデオレベルが「２５〔％〕」及び「３５〔％〕」になるように絞りを調節して、Ｇチヤンネルの色データに基づいて算出したビデオレベルの「２５〔％〕」及び「３５〔％〕」に相当する基準値を本体内部のＲＡＭ３２に順次保持していく。
【００３９】
ここで、カムコーダ１においては基準値を更新するに当たつてＡＷＢスイツチ２４Ｄが押された状態でロータリスイツチ２５が押されたときに基準値の設定を更新するという手順を採用しているが、これは１回のスイツチ操作だけで容易に基準値を更新できてしまうと誤操作等によつて基準値が更新されてしまう恐れがあるからであり、このような誤操作による基準値の更新を防止しようとする安全上のためである。
【００４０】
カムコーダ１はこの３回の基準値変更の操作を行つた後、ＣＰＵ３０がそれぞれの設定レベル「１」〜「３」における基準値を比較してそれぞれの差が一定の間隔（この場合は５〔％〕）以上離れている場合に、それぞれの基準値が正しいものと判断し、機器本体の電源を切つてもこれら基準値のデータが消去されない不揮発性ＲＡＭ３３にそれぞれの基準値を書き込む。このとき、ＣＰＵ３０は同時に図５に示すようなメニユ画面４０上に基準値を更新したことを表す文字情報（この場合は「１２３」）を「LOW LIGHT 」項目４０Ｃの設定レベルとして表示するようになされている。これにより、ユーザは文字情報「１２３」を確認することにより、各設定レベル「１」〜「３」における基準値の変更が終了したことを認識し得るようになされている。
【００４１】
ところで、ＣＰＵ３０はそれぞれの各設定レベル「１」〜「３」における基準値を比較してそれぞれの差が一定の間隔以上離れていなかつた場合、測定ミスや被写体が適切ではなかつたと判断して一旦保持した基準値を不揮発性ＲＡＭ３３に書込むことはせず、メニユ画面４０上の「LOW LIGHT 」項目４０Ｃの設定レベルに「１２３」の文字情報も表示しない。
【００４２】
続いて、メニユ画面４０を用いて設定レベルの基準値を更新するために各項目の設定レベルを選択して確定するまでの一般的なＣＰＵ３０の処理手順を図６のフローチヤートを用いて説明し、引き続き選択した設定レベルの基準値を新たな基準値に変更するＣＰＵ３０の処理手順を図７のフローチヤートを用いて説明する。すなわち、図６においてカメラシステム制御回路２２ではＲＴ１の開始ステツプから入つてステツプＳＰ１に移る。ステツプＳＰ１において、ＣＰＵ３０はユーザの操作によつてメニユＯＮ／ＯＦＦスイツチ２４Ａが変化したか否かを判定する。
【００４３】
ここで否定結果が得られると、これはユーザによつてメニユＯＮ／ＯＦＦスイツチ２４Ａが何ら操作されていないことを表しており、このときＣＰＵ３０はステツプＳＰ１に戻つてメニユＯＮ／ＯＦＦスイツチ２４Ａが操作されるまで待ち受ける。これに対してステツプＳＰ１において肯定結果が得られると、これはユーザによつてメニユＯＮ／ＯＦＦスイツチ２４Ａが操作されたことを表しており、このときＣＰＵ３０はステツプＳＰ２に移る。
【００４４】
ステツプＳＰ２においてＣＰＵ３０はユーザの操作によつてメニユＯＮ／ＯＦＦスイツチ２４Ａが「ＯＮ」になつたか否かを判定する。ここで肯定結果が得られると、これはメニユＯＮ／ＯＦＦスイツチ２４Ａが「ＯＮ」になつたことを表しており、このときＣＰＵ３０はステツプＳＰ３に移つて設定メニユのメニユ画面４０をビユーフアインダ１４上に表示する。これに対してステツプＳＰ２において否定結果が得られると、これはメニユＯＮ／ＯＦＦスイツチ２４Ａが「ＯＦＦ」になつたことを表しており、このときＣＰＵ３０はステツプＳＰ４に移つてメニユ画面４０が表示されていた場合は当該メニユ画面４０をビユーフアインダ１４上から消去し、ステツプＳＰ５に移つて処理を終了する。
【００４５】
ステツプＳＰ６において、ＣＰＵ３０はユーザの操作によつてページスイツチ２４Ｂが変化したか否かを判定する。ここで肯定結果が得られると、これはページスイツチ２４Ｂが「ＯＮ」になつたことを表しており、このときＣＰＵ３０はステツプＳＰ７に移つてメニユ画面４０の内容を次のページに変更する。これに対してステツプＳＰ６において否定結果が得られると、これはユーザによつてページスイツチ２４Ｂが何ら操作されておらず、このページ内にユーザが選択すべき所望の項目が存在することを表しており、このときＣＰＵ３０はステツプＳＰ８に移る。
【００４６】
ステツプＳＰ８において、ＣＰＵ３０はユーザの操作によつてメニユＩＴＥＭスイツチ２４Ｃが変化したか否かを判定する。ここで肯定結果が得られると、これはユーザによつてメニユＩＴＥＭスイツチ２４Ｃが操作されたことを表しており、このときＣＰＵ３０はステツプＳＰ９に移つてメニユＩＴＥＭスイツチ２４Ｃの操作に応じてメニユ画面４０のカーソル４０Ｊをユーザ所望の項目位置まで移動させる。これに対してステツプＳＰ８において否定結果が得られると、これはユーザによつてメニユＩＴＥＭスイツチ２４Ｃが何ら操作されていないことを表しており、すなわちユーザはメニユ画面４０が表示されたときのカーソル４０Ｊの位置の項目をそのまま選択する意志があることを表しており、このときＣＰＵ３０はステツプＳＰ１０に移る。
【００４７】
ステツプＳＰ１０において、ＣＰＵ３０はユーザの操作によつてロータリスイツチ２５が回転したか否かを判定する。ここで肯定結果が得られると、これはユーザによつてロータリスイツチ２５が回転したことを表しており、このときＣＰＵ３０はステツプＳＰ１１に移つて選択した項目の設定レベルをロータリスイツチの回転に応じて「１」〜「３」の順番に変更していく。これに対してステツプＳＰ１０において否定結果が得られると、これはユーザによつてロータリスイツチ２５が回転されておらず、すなわち最初に表示されたときの設定レベルを変更しない意志があることを表しており、このときＣＰＵ３０はステツプＳＰ１２に移る。
【００４８】
ステツプＳＰ１２において、ＣＰＵ３０はユーザの操作によつてロータリスイツチ２５が押されたか否かを判定する。ここで否定結果が得られると、これはユーザによつてロータリスイツチ２５が押されていないことを表しており、このときＣＰＵ３０はステツプＳＰ１２に戻つてロータリスイツチ２５が押されるまで待ち受ける。これに対してステツプＳＰ１２において肯定結果が得られると、これはユーザによつてロータリスイツチ２５が押されたことを表しており、このときＣＰＵ３０はステツプＳＰ１３に移つてメニユ画面４０上に表示された設定レベルをカムコーダに対するの新たな設定レベルとして確定し、ステツプＳＰ５に移つて処理を終了する。
【００４９】
すなわち、ユーザは上述した手順に従つてカムコーダ１における各項目４０Ａ〜４０Ｈの設定レベルを変更して確定する。続いて、図７に示すように、「LOW LIGHT 」項目４０Ｃにおける各設定レベルの基準値を自動変更する処理手順においては、ＲＴ２の開始ステツプから入つてステツプＳＰ２１に移る。ステツプＳＰ２１において、ユーザは上述のＲＴ１の処理手順に沿つてメニユ画面４０上の「LOW LIGHT 」項目４０Ｃにおける設定レベルを「１」に確定してステツプＳＰ２２に移る。
【００５０】
ステツプＳＰ２２において、ユーザはカムコーダ１によつてグレースケールを撮影し、カムコーダ１に接続された波形モニタ２６を見ながら波形の最も明るいピーク部分のビデオ信号の輝度レベルが「１５〔％〕」になるようにアイリス６を介して絞りを調節してステツプＳＰ２３に移る。ステツプＳＰ２３において、ユーザは輝度レベルが「１５〔％〕」になつた状態でカムコーダ１のＡＷＢスイツチ２４Ｄを押しながらロータリスイツチ２５を押してＣＰＵ３０に知らせる。
【００５１】
ステツプＳＰ２４において、ＣＰＵ３０はデイジタルビデオプロセス回路１０から送られてくるＧチヤンネルのデイジタル色データを１フイールド分積分し、その積分結果を画素数で割ることにより算出した平均値を当該ビデオレベルの「１５〔％〕」に相当する新たな基準値として本体内部のＲＡＭ３２上に一旦保持してステツプＳＰ２５に移る。
【００５２】
ステツプＳＰ２５において、ユーザは上述のＲＴ１の処理手順に沿つてメニユ画面４０上の「LOW LIGHT 」項目４０Ｃにおける設定レベルを「２」に変更してステツプＳＰ２６に移る。ステツプＳＰ２６において、ユーザはカムコーダ１によつてグレースケールを撮影し、カムコーダ１に接続された波形モニタ２６を見ながら波形の最も明るいピーク部分の輝度レベルが「２５〔％〕」になるようにアイリス６を介して絞りを調節してステツプＳＰ２７に移る。
【００５３】
ステツプＳＰ２７において、ユーザは輝度レベルが「２５〔％〕」になつた状態でカムコーダ１のＡＷＢスイツチ２４Ｄを押しながらロータリスイツチ２５を押して、ＣＰＵ３０に知らせる。ステツプＳＰ２８において、ＣＰＵ３０はデイジタルビデオプロセス回路１０から送られてくるＧチヤンネルのデイジタル色データを１フイールド分積分し、その積分結果を画素数で割ることにより算出した平均値を当該ビデオレベルの「２５〔％〕」に相当する基準値として本体内部のＲＡＭ３２上に一旦保持してステツプＳＰ２９に移る。
【００５４】
ステツプＳＰ２９において、ユーザは上述のＲＴ１の処理手順に沿つてメニユ画面４０上の「LOW LIGHT 」項目４０Ｃにおける設定レベルを「３」に変更してステツプＳＰ３０に移る。ステツプＳＰ３０において、ユーザはカムコーダ１によつてグレースケールを撮影し、カムコーダ１に接続された波形モニタ２６を見ながら波形の最も明るいピーク部分のビデオ信号の輝度レベルが「３５〔％〕」になるようにアイリス６を介して絞りを調節してステツプＳＰ３１に移る。
【００５５】
ステツプＳＰ３１において、ユーザは輝度レベルが「３５〔％〕」になつた状態でカムコーダ１のＡＷＢスイツチ２４Ｄを押しながらロータリスイツチ２５を押してＣＰＵ３０に知らせる。ステツプＳＰ３２において、ＣＰＵ３０はデイジタルビデオプロセス回路１０から送られてくるＧチヤンネルのデイジタル色データを１フイールド分積分し、その積分結果を画素数で割ることにより算出した平均値を当該ビデオレベルの「３５〔％〕」に相当する基準値として本体内部のＲＡＭ３２上に一旦保持してステツプＳＰ３３に移る。
【００５６】
ステツプＳＰ３３において、ＣＰＵ３０は新たに設定した３つの基準値の差が一定の値（この場合「５〔％〕」）以上離れているか否かを判定する。ここで肯定結果が得られると、これは３つの基準値の差が一定の値以上離れており、基準値の変更が正確に行われたと判断してステツプＳＰ３４に移る。これに対して、ステツプＳＰ３３において否定結果が得られると、これは３つの基準値の差が一定の値以上離れておらず、何らかの測定ミスや被写体であるグレースケールが適切でなかつたと判断して一旦ＲＡＭ３２に保持した基準値のデータを消去し、ステツプＳＰ３５に移つて処理を終了する。
【００５７】
ステツプＳＰ３４において、ＣＰＵ３０はＲＡＭ３２に一旦保持した新たな３つの基準値を本体の電源を切つたときでもデータを保持しておく不揮発性ＲＡＭ３３に書き込むと同時に、基準値の変更が正確に行われたことを示す「１２３」の文字情報をメニユ画面４０上の「LOW LIGHT 」項目４０Ｃに表示し、ステツプＳＰ３５に移つて処理を終了する。
【００５８】
以上の構成において、カムコーダ１はユーザによるスイツチ２４の操作によつてメニユ画面４０上に表示された「LOW LIGHT 」項目４０Ｃの設定レベルを「１」〜「３」のうちのいずれかに確定し、グレースケールを撮影した結果を表示した波形モニタ２６の輝度レベルを確認しながらアイリス６を介して輝度レベルを所望の基準値になるように絞りを調節する。このとき、カムコーダ１はＣＰＵ３０がデイジタルビデオプロセス回路１０から取り込んだ各デイジタル色データのうちＧチヤンネルのデイジタル色データを１フイールド分積分し、その積分結果を画素数で割ることにより算出した平均値を新たな基準値として保持する。
【００５９】
カムコーダ１は設定レベル「１」〜「３」ごとに全て新たな基準値を設定し、各々の基準値の差が一定間隔以上離れているときに限つて、新たな基準値を不揮発性ＲＡＭ３３に書き込むと同時に、メニユ画面４０上の「LOW LIGHT 」項目４０Ｃに「１２３」の文字を表示して基準値の更新を終了する。すなわち、ユーザは撮像時の環境に応じてワーニング表示を出す輝度レベルの基準値を変更する必要が生じたときでも、その場でスイツチ２４及びロータリスイツチ２５を操作すると共に、アイリス６を用いて絞りを調整することによりワーニング表示を出す輝度レベルの基準値を自動的に変更することができる。
【００６０】
このように、カムコーダ１はグレースケールといつた所定の被写体を撮影し、波形モニタ２６に映し出した被写体像を示す映像信号の輝度レベルを確認しながら、当該輝度レベルが所望の基準値になるようにアイリス６を介して絞りを調整し、このときＣＰＵ３０がＧチヤンネルの１フイールド分のデータを積分し、当該積分値を画素数で割ることにより算出した平均値をＲＡＭ３２に一旦保持し、それぞれの設定レベル「１」〜「３」において新たに設定した基準値がそれぞれ一定の差以上以上離れているときに限り３つの新たな基準値を正しい値として不揮発性ＲＡＭに書き込むことにより、機器の設定レベルをユーザレベルの操作によつて新たな基準値に全て自動的に更新することができる。従つて、ユーザは基準値の更新のためにメーカーのサービス部門に持つていく手間を省けると共に、サービス部門で基準値を更新してもらつている間は使用できなくなるといつた不都合を解消することができる。
【００６１】
以上の構成によれば、カムコーダ１は「LOW LIGHT 」項目４０Ｃにおける設定レベル「１」〜「３」ごとの基準値をユーザレベルで容易に更新して自動的に設定できることにより、使用条件に係わらず常に最適なワーニング表示をビユーフアインダ１４を介して表示することができ、かくしてユーザは撮影条件に応じてその場で瞬時に絞りを調整して最適な条件の下で撮影を行うことができる。
【００６２】
なお上述の実施例においては、特定の被写体としてグレースケールチヤートを用いて輝度レベルを所望の基準値になるようにアイリス６を介して調整するようにした場合について述べたが、本発明はこれに限らず、撮影した際にビデオレベルが確認し易い被写体であれば他の種々の被写体を用いるようにしても良い。この場合にも上述の実施例と同様の効果を得ることができる。
【００６３】
また上述の実施例においては、カムコーダ１の設定レベルにおける輝度レベルの基準値を「１５〔％〕」、「２５〔％〕」、「３５〔％〕」に設定するようにした場合について述べたが、本発明はこれに限らず、それぞれの基準値の差がある程度一定の間隔以上離れていれば他の種々の基準値に設定しても良い。
【００６４】
さらに上述の実施例においては、カムコーダ１においてメニユＩＴＥＭスイツチ２４Ｃを押すことにより各項目４０Ａ〜４０Ｈを指すカーソル４０Ｊの位置を順次移動させるようにした場合について述べたが、本発明はこれに限らず、ユーザによつてロータリスイツチ２５を回転させることによりカーソル４０Ｊの位置を順次移動させるようにしても良い。
【００６５】
さらに上述の実施例においては、撮像手段としてレンズ２、ダイクロイツクプリズム３及び固体撮像素子４Ｒ、４Ｇ、４Ｂを用いるようにした場合について述べたが、本発明はこれに限らず、被写体像を撮像できれば他の種々の組み合わせによる撮像手段を用いるようにしても良い。
【００６６】
さらに上述の実施例においては、検出手段としてデイジタルビデオプロセス回路１０を用いるようにした場合について述べたが、本発明はこれに限らず、Ｇチヤンネルの色データを検出できれば他の種々の検出手段を用いるようにしても良い。
【００６７】
さらに上述の実施例においては、輝度レベル表示手段として波形モニタ２６を用いるようにした場合について述べたが、本発明はこれに限らず、輝度レベルを表示できれば他の種々の表示手段を用いるようにしても良い。
【００６８】
さらに上述の実施例においては、絞り手段としてアイリス６を用いるようにした場合について述べたが、本発明はこれに限らず、輝度レベルを調整できれば他の種々の絞り手段を用いるようにしても良い。
【００６９】
さらに上述の実施例においては、制御手段としてのＣＰＵ３０を用いて記憶手段としての不揮発性ＲＡＭ２３に新しい基準値を記憶させるようにした場合について述べたが、本発明はこれに限らず、電源をオフにした場合にも新たに設定した基準値が消去されなければ他の種々の記憶手段を用いるようにしても良い。
【００７０】
さらに上述の実施例においては、複数の操作子としてスイツチ２４及びロータリスイツチ２５を用いるようにした場合について述べたが、本発明はこれに限らず、新たな基準値を記憶させるときに２種類以上のスイツチを同時に操作するようにすれば、他の種々の数や種類の操作子を用いるようにしても良い。
【００７１】
【発明の効果】
上述のように本発明によれば、ユーザに警告を行うための基準値となる映像信号の平均値をユーザの好みに合わせて変更する際、複数の操作子が同時に操作されたときに限つてその平均値を新たな基準値として記憶手段に記憶することができるので、警告を行うための基準値が誤操作により変更されることを防止しながら、警告を行うための基準値をユーザレベルで容易に更新し得る撮像装置及び映像信号の警告方法を実現することができる。
【図面の簡単な説明】
【図１】本発明の一実施例によるカムコーダの構成を示すブロツク図である。
【図２】デイジタルビデオプロセス回路の構成を示すブロツク図である。
【図３】カメラシステム制御回路の構成を示すブロツク図である。
【図４】メニユ画面の表示内容を示す図表である。
【図５】基準値変更完了時のメニユ画面の表示内容（「LOW LIGHT 」）を示す図表である。
【図６】項目の設定レベルを選択して確定する処理手順を示すフローチヤートである。
【図７】設定レベルの基準値を更新する処理手順を示すフローチヤートである。
【図８】設定レベルとワーニング表示の関係を示す図表である。
【符号の説明】
１……カムコーダ、６……アイリス、１０……デイジタルビデオプロセス回路、２２……カメラシステム制御回路、２５……ロータリスイツチ、３０……ＣＰＵ、３２……ＲＡＭ、３３……不揮発性ＲＡＭ。
【図１】
0003786311.tif 000002
【図２】
0003786311.tif 000003
【図３】
0003786311.tif 000004
【図４】
0003786311.tif 000005
【図５】
0003786311.tif 000006
【図６】
0003786311.tif 000007
【図７】
0003786311.tif 000008
【図８】
0003786311.tif 000009